(57)【要約】【課題】通信ネットワークのための高い可用性を備えたＡＴＭによるＩＰデータをイーサネットによるＩＰデータに変換する装置を提供する。【解決手段】この装置は、転送のためＩＰデータに対してＡＴＭ／イーサネットプロトコル変換を実施する２つのゲートウェイと、各ゲートウェイをアクティブ状態または非アクティブ状態に置くイーサネットリンク保護手段と、アクティブな間にゲートウェイＰ１を介した第１機器とアクセス機器の間のＩＰデータ転送の問題が生じる場合にアクセス機器が、非アクティブであった他のゲートウェイＰ２に接続されたＡＴＭリンクＬＡ２を使用するように、ゲートウェイＰ１に接続されたＡＴＭリンクＬＡ１の使用を停止させ、イーサネットリンク保護手段が最初にアクティブであるゲートウェイＰ１を非アクティブ状態に、非アクティブなゲートウェイＰ２をアクティブ状態にまだ置いていない場合に切換えを指示する管理手段とを備える。【選択図】図１
2006229958.tif 000002
【特許請求の範囲】
【請求項１】
イーサネット（登録商標）プロトコルを使用してインターネットデータ（ＩＰ）を交換するのに適した第１の機器（ＮＳ）と、ＡＴＭプロトコルを使用してインターネットデータ（ＩＰ）を交換するのに適したバックボーンネットワークＲＦとを備えるＡＴＭ／イーサネット（登録商標）通信ネットワークのため、ＡＴＭによるＩＰデータをイーサネット（登録商標）によるＩＰデータに、またその逆に変換するための装置Ｄであって、
イーサネット（登録商標）リンク（ＬＥ１、ＬＥ２）を介して前記第１機器（ＮＳ）に接続され、互いに１対１対応の複数のＡＴＭリンク（ＬＡ１、ＬＡ２）を介して、バックボーンネットワーク（ＲＦ）にアクセスを提供する、ＡＴＭリンク保護モジュール（ＭＰＬＡ）を備えたアクセス機器（ＸＣ）に接続されており、転送されるＩＰデータに対してＡＴＭ／イーサネット（登録商標）プロトコル変換を実施するように構成された２つのゲートウェイ（Ｐ１、Ｐ２）と、
前記ゲートウェイ（Ｐ１、Ｐ２）のそれぞれの中に含まれており、前記第１機器（ＮＳ）内に含まれるイーサネット（登録商標）リンク保護手段（ＭＰＬＥ３）と協調して対応するゲートウェイをＩＰデータ転送を許可するアクティブ状態に、または前記ＩＰデータ転送を防止する非アクティブ状態に置くように構成されたイーサネット（登録商標）リンク保護手段（ＭＰＬＥ１、ＭＰＬＥ２）と、
前記ゲートウェイ（Ｐ１、Ｐ２）のそれぞれの中に含まれており、ゲートウェイ（Ｐ１）が最初にアクティブなときにそのゲートウェイ（Ｐ１）を介した前記第１機器（ＮＳ）と前記アクセス機器（ＸＣ）の間のＩＰデータ転送に問題が生じた場合に、前記アクセス機器（ＸＣ）が最初に非アクティブであった他のゲートウェイ（Ｐ２）に接続された対応するＡＴＭリンク（ＬＡ２）を使用するように、ゲートウェイ（Ｐ１）に接続されたＡＴＭリンク（ＬＡ１）のすべての使用を停止させ、また前記イーサネット（登録商標）リンク保護手段（ＭＰＬＥ１からＭＰＬＥ３）が前記最初にアクティブであるゲートウェイ（Ｐ１）を非アクティブ状態に、前記最初に非アクティブであるゲートウェイ（Ｐ２）をアクティブ状態にまだ置いてない場合に切換えを指示するように構成された管理手段（ＭＧ１、ＭＧ２）とを備えることを特徴とする装置。
【請求項２】
前記管理手段（ＭＧ１、ＭＧ２）のそれぞれが、前記アクセス機器（ＸＣ）のＡＴＭリンク保護モジュール（ＭＰＬＡ）によって決定されるようにトラフィックが非アクティブゲートウェイ（Ｐ２）の対応するＡＴＭリンク（ＬＡ２）に切り換えられる場合に該管理手段のアクティブゲートウェイ（Ｐ１）のＡＴＭリンク（ＬＡ１）上の転送問題を検出するため前記アクセス機器（ＸＣ）の動作を観察するように構成されることを特徴とする請求項１に記載の装置。
【請求項３】
前記管理手段（ＭＧ１、ＭＧ２）のそれぞれが、前記アクセス機器（ＸＣ）のＡＴＭリンク保護モジュール（ＭＰＬＡ）によって決定されるように前記ＡＴＭリンク（ＬＡ１）の使用が停止する場合に該管理手段のアクティブゲートウェイ（Ｐ１）のＡＴＭリンク（ＬＡ１）上の転送問題を検出するようなやり方で該管理手段のゲートウェイ（Ｐ１、Ｐ２）の動作を観察するように構成されることを特徴とする請求項１に記載の装置。
【請求項４】
前記管理手段（ＭＧ１、ＭＧ２）のそれぞれが、問題が生じたＡＴＭリンク（ＬＡ１、ＬＡ２）の数が選択された閾値以上になるときにはいつでも該管理手段のゲートウェイ（Ｐ１、Ｐ２）のＡＴＭリンク（ＬＡ１、ＬＡ２）の使用を停止させるように構成されることを特徴とする請求項１に記載の装置。
【請求項５】
前記管理手段（ＭＧ１、ＭＧ２）のそれぞれが、前記ゲートウェイ（Ｐ１、Ｐ２）の活動状態の切換えの決定時にイーサネット（登録商標）リンク（ＬＥ１、ＬＥ２）上の転送問題を検出するように、前記対応するイーサネット（登録商標）リンク保護手段（ＭＰＬＥ１、ＭＰＬＥ２）の動作を観察するように構成されることを特徴とする請求項１に記載の装置。
【請求項６】
前記管理手段（ＭＧ１、ＭＧ２）のそれぞれが、前記イーサネット（登録商標）リンク保護手段（ＭＰＬＥ１からＭＰＬＥ３）によって決定されるように前記ゲートウェイ（Ｐ１、Ｐ２）の活動状態の切換えが生じる場合にイーサネット（登録商標）リンク（ＬＥ１、ＬＥ２）上の転送問題を検出するために該管理手段のゲートウェイ（Ｐ１、Ｐ２）の動作を観察するように構成されることを特徴とする請求項１に記載の装置。
【請求項７】
前記管理手段（ＭＧ１、ＭＧ２）のそれぞれが、前記第１機器（ＮＳ）内に含まれる前記イーサネット（登録商標）リンク保護手段（ＭＰＬＥ３）によって決定されるようにトラフィックがアクティブゲートウェイ（Ｐ１）のイーサネット（登録商標）リンク（ＬＥ１）から非アクティブゲートウェイ（Ｐ２）のイーサネット（登録商標）リンク（ＬＥ２）に切り換えられる場合にイーサネット（登録商標）リンク（ＬＥ１、ＬＥ２）上の転送問題を検出するようなやり方で前記第１機器（ＮＳ）の動作を観察するように構成されることを特徴とする請求項１に記載の装置。
【請求項８】
前記管理手段（ＭＧ１、ＭＧ２）のそれぞれが、該管理手段のゲートウェイ（Ｐ１）がアクティブな間に該管理手段のゲートウェイ（Ｐ１）のＡＴＭリンク（ＬＡ１）またはイーサネット（登録商標）リンク（ＬＥ１）上でＩＰデータ転送が停止する場合に、内部動作の問題を検出するようなやり方で該管理手段のゲートウェイ（Ｐ１、Ｐ２）の動作を観察するように構成されることを特徴とする請求項１に記載の装置。
【請求項９】
前記ゲートウェイ（Ｐ１、Ｐ２）を相互接続する補助リンク（ＬＡＡ）を含み、前記管理手段（ＭＧ１、ＭＧ２）が、異なるタイプのリンクを介してであるが前記ゲートウェイ（Ｐ１、Ｐ２）を同時に動作不可能にする問題を検出し、受信されたＩＰデータを前記補助リンク（ＬＡＡ）を介して他のゲートウェイ（Ｐ２）に転送するよう該管理手段のゲートウェイ（Ｐ１）に指示するために該管理手段のゲートウェイ（Ｐ１、Ｐ２）の動作を観察するように構成されることを特徴とする請求項１に記載の装置。
【請求項１０】
前記補助リンク（ＬＡＡ）がイーサネット（登録商標）タイプのものであることを特徴とする請求項９に記載の装置。
【請求項１１】
ＡＴＭ／イーサネット（登録商標）変換インターフェースの形で構成されることを特徴とする請求項１に記載の装置。
【発明の詳細な説明】
【技術分野】
【０００１】
本発明は、通信ネットワークに関し、より厳密には、イーサネット（登録商標）リンクと非同期転送モード（ＡＴＭ：ａｓｙｎｃｈｒｏｎｏｕｓ  ｔｒａｎｓｆｅｒ  ｍｏｄｅ）リンクの間で、インターネットプロトコルを使用したデータ（すなわちＩＰデータ）を転送することに関する。
【背景技術】
【０００２】
当業者には知られているように、たとえば汎用パケット無線サービス（ＧＰＲＳ：ｇｅｎｅｒａｌ  ｐａｃｋｅｔ  ｒａｄｉｏ  ｓｅｒｖｉｃｅ）タイプのパケットのデータを移送するモバイルネットワークなど、ある特定の通信ネットワークは、インターネットとの接続性を提供する。これを行うため通信コアネットワークは、サービスＧＰＲＳサービスノード（ＳＧＳＮ：ｓｅｒｖｉｃｅ  ＧＰＲＳ  ｓｅｒｖｉｎｇ  ｎｏｄｅ）タイプの１つまたは複数のノードを含む。
【０００３】
ＳＧＳＮノードは具体的には、コアネットワークのバックボーンネットワーク間でＩＰデータパケットを上下に転送するためのインターフェースとして働き、このバックボーンネットワークは、ＳＧＳＮノードがその一部を形成しており、そのモバイルネットワークの無線アクセスネットワークに、またゲートウェイＧＰＲＳサービスノード（ＧＧＳＮ：ｇａｔｅｗａｙ  ＧＰＲＳ  ｓｅｒｖｉｎｇ  ｎｏｄｅ）タイプのノード、または外部インターネットネットワークとの接続性を提供する前記コアネットワークのルータに接続される。
【０００４】
ＳＧＳＮノードは、生来ＩＰタイプのものであるので、（「レベル２」と称される）イーサネット（登録商標）転送プロトコルを用いてＩＰパケットをバックボーンネットワークにまたはインターネットネットワークに転送する。これは、イーサネット（登録商標）によるＩＰデータと称される。
【０００５】
ＩＰパケットのインターネットネットワークへの転送は、イーサネット（登録商標）プロトコルを用いて行われるので、ＳＧＳＮノードとインターネットネットワークの間の転送を達成することの問題はない。
【０００６】
それとは異なりＩＰパケットは、無線アクセスネットワークにはＡＴＭ転送プロトコルを用いて転送されるので（よってＡＴＭによるＩＰデータと称される）、したがって、ＡＴＭからイーサネット（登録商標）への変換が、ＳＧＳＮノードとバックボーンネットワークの間のインターフェースで実施されなければならない。
【０００７】
この変換は一般に、特定のＡＴＭ／イーサネット（登録商標）ゲートウェイによって提供される。
【０００８】
その戦略的な重要性のためゲートウェイは、高いレベルの可用性を提示しなければならない。これを達成するためＡＴＭ／イーサネット（登録商標）ゲートウェイは、その外部リンク、ＡＴＭとイーサネット（登録商標）の両方で、また内部的に発生し得る故障（または誤動作）に直面しても、また電力供給の問題に直面したときも高いレベルの柔軟性を提供しなければならない。
【０００９】
そのイーサネット（登録商標）側では、知られているＡＴＭ／イーサネット（登録商標）ゲートウェイは、既定では静的である経路制御型の環境内で単一の故障点が取り除かれることを可能にする仮想ルータ冗長プロトコル（ＶＲＲＰ：ｖｉｒｔｕａｌ  ｒｏｕｔｅｒ  ｒｅｄｕｎｄａｎｃｙ  ｐｒｏｔｏｃｏｌ）を実装することができる。より厳密には、ＶＰＲＰプロトコルは特定のプロトコルを定義し、この特定のプロトコルは、マスタ（またはアクティブ）ＶＲＲＰルータと称される仮想ルータに、他の仮想ルータに関連するＩＰアドレスを監視し、また前記他のルータにそれに宛てのパケットを送信する責任を動的に割り当る。マスタＶＲＲＰルータが使用不可能または到達不可能になるときに、ＡＴＭ／イーサネット（登録商標）ゲートウェイは、待機（すなわち非アクティブ）状態の代用の仮想ルータの可用性状態、またＳＧＳＮノードと代用ルータの間のイーサネット（登録商標）リンクの状態を、それがマスタＶＲＲＰルータに取って代わり得るかどうか判断するため分析する。そうである場合、代用のルータは新しいマスタ（すなわちアクティブ）ルータになり、古いマスタルータは、新しい（待機状態の）代用ルータになる。
【発明の開示】
【発明が解決しようとする課題】
【００１０】
ＡＴＭ側では、ＡＴＭ／イーサネット（登録商標）ゲートウェイの高い可用性を確保するのに適したＶＲＲＰプロトコルに等価の代用機構は存在しない。
【００１１】
ＡＴＭ技術は実際に、自動保護スイッチング（ＡＰＳ：ａｕｔｏｍａｔｉｃ  ｐｒｏｔｅｃｔｉｏｎ  ｓｗｉｔｃｈｉｎｇ）として知られているリンク保護機構を含み、このリンク保護機構は、それぞれのＡＴＭリンクの代用のＡＴＭリンクを提供すること、およびトラフィックを故障が発生したＡＴＭリンクからそれに対応する代用のＡＴＭリンクに切り換えることからなる。したがって、このＡＰＳ機構は、所与のＡＴＭスイッチで終了するリンクを保護する働きをするにすぎない。
【００１２】
ＡＴＭ技術は、交換仮想接続（ＳＶＣ：ｓｗｉｔｃｈｅｄ  ｖｉｒｔｕａｌ  ｃｏｎｎｅｃｔｉｏｎ）機構をも含むが、しかし、１次端末機器内で故障が生じた場合に別の２次端末機器への仮想接続を再確立することをそれ自体では可能にしない。
【００１３】
ＡＴＭプロトコルより上の層で、オープン最短経路優先（ＯＳＰＦ：ｏｐｅｎ  ｓｈｏｒｔｅｓｔ  ｐａｔｈ  ｆｉｒｓｔ）タイプのルーティングプロトコルを実装することも可能である。しかし、そのプロトコルは、かなり実装し難く、さらにアクティブ／待機モードで動作することができない。
【００１４】
上記で指定した制限のため、高可用性を備えたＡＴＭ／イーサネット（登録商標）ゲートウェイは、専用コンポーネントの形で実装されなければならず、それによってそのコストがかなり増加する。
【００１５】
したがって、本発明の目的は、この状況を改善することである。
【課題を解決するための手段】
【００１６】
このため本発明は、イーサネット（登録商標）プロトコルを使用してインターネットデータを交換するのに適した第１の機器と、ＡＴＭプロトコルを使用してインターネットデータを交換するのに適したバックボーンネットワークとを備えるＡＴＭ／イーサネット（登録商標）通信ネットワークのため、ＡＴＭによるＩＰデータをイーサネット（登録商標）によるＩＰデータに、またその逆に変換するための装置を提供する。
【００１７】
この変換装置は、それが以下を備えることによって特徴付けられる。
【００１８】
イーサネット（登録商標）リンクを介して前記第１機器に接続され、互いに１対１対応の複数のＡＴＭリンクを介して、バックボーンネットワークへのアクセスを提供する、ＡＴＭリンク保護モジュールを備えたアクセス機器に接続され、転送されるＩＰデータに対してＡＴＭ／イーサネット（登録商標）プロトコル変換を実施するように構成される２つのゲートウェイ。
【００１９】
前記ゲートウェイのそれぞれの中に含まれており、前記第１機器内に含まれるイーサネット（登録商標）リンク保護手段と協調して、対応するゲートウェイをＩＰデータ転送を許可するアクティブ状態に、または前記ＩＰデータ転送を防止する非アクティブ状態に置くように構成される（たとえばＭＰＬＥタイプの）イーサネット（登録商標）リンク保護手段。
【００２０】
前記ゲートウェイのそれぞれの中に含まれており、ゲートウェイ（Ｐ１）が最初にアクティブであるときにそのゲートウェイを介した前記第１機器と前記アクセス機器の間のＩＰデータ転送に問題が生じた場合に、前記アクセス機器が最初に非アクティブであった他のゲートウェイに接続された対応するＡＴＭリンクを使用するように、ゲートウェイに接続されたＡＴＭリンクのすべての使用を停止させ、また前記イーサネット（登録商標）リンク保護手段が前記最初にアクティブなゲートウェイを非アクティブ状態に置き、前記最初に非アクティブなゲートウェイをアクティブ状態に置いてない場合には切換えを指示するように構成される管理手段。
【００２１】
本明細書では用語「最初にアクティブなゲートウェイ」は、装置のイーサネット（登録商標）リンク保護手段および第１機器の要求によりアクティブ（マスタ）状態から非アクティブ（待機）状態に切り換わるゲートウェイを指すために使用されており、用語「最初に非アクティブなゲートウェイ」は、装置のイーサネット（登録商標）リンク保護手段および第１機器の要求により、非アクティブ状態からアクティブ状態に切り換わるゲートウェイを指すために使用されている。
【００２２】
本発明の変換装置は、別々にまたは組み合わせて考慮され得る他の特性、具体的には以下を含み得る。
【００２３】
それぞれの管理手段は、機器のＡＴＭリンク保護モジュールによって決定されるようにトラフィックが非アクティブゲートウェイの対応するＡＴＭリンクに切り換えられる場合に該管理手段のアクティブなゲートウェイのＡＴＭリンク上の転送問題を検出するためアクセス機器の動作を観察するように構成され得る。
【００２４】
ある変形例では、それぞれの管理手段は、アクセス機器のＡＴＭリンク保護モジュールによって決定されるようにＡＴＭリンクの使用が停止する場合に該管理手段のアクティブゲートウェイのＡＴＭリンク上の転送問題を検出するようなやり方で該管理手段のゲートウェイの動作を観察するように構成され得る。
【００２５】
それぞれの管理手段は、問題が生じたＡＴＭリンクの数が選択された閾値以上であるときにはいつでも該管理手段のゲートウェイのＡＴＭリンクの使用を停止させるように構成され得る。
【００２６】
それぞれの管理手段は、各ゲートウェイの活動状態を切り換えることの決定時にイーサネット（登録商標）リンク上の転送問題を検出するため対応するイーサネット（登録商標）リンク保護手段の動作を観察するように構成され得る。
【００２７】
第１の変形例では、それぞれの管理手段は、イーサネット（登録商標）リンク保護手段によって決定されるようにゲートウェイの活動状態の切換えが生じる場合にイーサネット（登録商標）リンク上の転送問題を検出するため該管理手段のゲートウェイの動作を観察するように構成され得る。
【００２８】
第２の変形例では、それぞれの管理手段は、第１機器内に含まれるイーサネット（登録商標）リンク保護手段によって決定されるようにトラフィックがアクティブゲートウェイのイーサネット（登録商標）リンクから非アクティブゲートウェイのイーサネット（登録商標）リンクに切り換えられる場合にイーサネット（登録商標）リンク上の転送問題を検出するようなやり方で第１機器の動作を観察するように構成され得る。
【００２９】
それぞれの管理手段は、該管理手段のゲートウェイがアクティブである間にＩＰデータ転送が該管理手段のゲートウェイのＡＴＭリンクまたはイーサネット（登録商標）リンク上で停止する場合に内部動作の問題を検出するようなやり方で該管理手段のゲートウェイの動作を観察するように構成され得る。
【００３０】
好ましくはイーサネット（登録商標）の補助リンクは、ゲートウェイを相互接続することができ、その場合、管理手段は、それぞれ異なるタイプのリンクを介してであるがゲートウェイを同時に動作不可能にする問題を検出し、受信されたＩＰデータを補助リンクを介して他のゲートウェイに転送するよう該管理手段のゲートウェイに指示するために、該管理手段のゲートウェイの動作を観察するように構成され得る。
【００３１】
こうした変換装置は、たとえばＡＴＭ／イーサネット（登録商標）変換インターフェースの形であり得る。
【００３２】
本発明は、排他的にではないが具体的には、たとえばユニバーサル移動通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）タイプのモバイルネットワークにうまく適応される。したがって、それは一般には、ＡＴＭおよびイーサネット（登録商標）プロトコルを実装し、高いレベルの可用性を必要とする任意の通信に関連する。
【００３３】
本発明の他の特性および利点は、以下の詳細な説明および添付の図面を考察すると明らかになる。図面において、図１は、本発明の変換装置の一実施形態を備え、また外部インターネットネットワークに接続されたモバイルネットワークについての非常に図式的な機能図である。添付の図面は、本発明についての説明を増すのに役立つだけでなく、適切な場合にはそれを定義することにも寄与し得る。
【発明を実施するための最良の形態】
【００３４】
本発明は、ＡＴＭ／イーサネット（登録商標）リンク内で、かつ／または内部的に発生し得る故障（または誤動作）に直面しても大きい柔軟性を提供することによって、ＡＴＭによるＩＰデータをイーサネット（登録商標）によるＩＰデータに、またその逆に変換するためにＡＴＭ／イーサネット（登録商標）通信ネットワーク内で機能する機器の高い可用性を確保しようと努める。
【００３５】
非限定的な実施例を挙げるため、以下の説明は、ＵＭＴＳタイプのパケットネットワークなど、セルラタイプのモバイルネットワークによって構成される、本発明を実施するＡＴＭ／イーサネット（登録商標）通信ネットワークに関するものである。しかし、本発明は、このタイプのネットワークに限定されない。それは、ＡＴＭによるＩＰデータをイーサネット（登録商標）によるＩＰデータに、またその反対に変換するための機器を使用する任意のタイプのＡＴＭ／イーサネット（登録商標）通信ネットワークに関連する。
【００３６】
図１は、たとえばインターネットネットワークなどの外部通信ネットワークＲＩに結合されたＵＭＴＳネットワークを非常に図式的なやり方で示している。
【００３７】
もちろんＵＭＴＳネットワークは、パブリックおよび／またはプライベートであり得る複数の外部ネットワークに接続され得る。
【００３８】
単独の図に示すように、ＵＭＴＳネットワークは、非常に簡略化されているが、しかし本発明を理解するのに十分であるやり方で、コアネットワークＣＮへのインターフェースを介して結合された無線アクセスネットワークＲＡＲとして要約され得る。
【００３９】
無線アクセスネットワークＲＡＲは、１組の（ノードＢとして知られている）基地局、およびアクセスネットワークマネージャに共に相互接続された（ＲＮＣとして知られている）無線ネットワーク制御装置を備える。それぞれの基地局（ノードＢ）は、モバイル端末（すなわち局）ＭＳｊが無線リンクを設定（またはそれを継続）できると見られる無線ゾーンをカバーする少なくとも１つのセルＣｉに関連付けられる。図示する実施例では、添字ｉは１から３の範囲にあり、添字ｊは１から４の範囲にあるが、しかし、それらは、ゼロ以外の任意の値を取り得る。
【００４０】
コアネットワークＣＮは、無線アクセスネットワークＲＡＲの無線ネットワーク制御装置（ＲＮＣ：ｒａｄｉｏ  ｎｅｔｗｏｒｋ  ｃｏｎｔｒｏｌｌｅｒ）に接続された１組のネットワーク機器を、コアネットワークマネージャ（図示せず）およびバックボーンネットワークＲＦと共に備える。この１組のネットワーク機器は具体的には、ＧＧＳＮタイプのノード、およびＳＧＳＮタイプのノード、ならびにたぶん、一般にＧＰＲＳ  ＩＰバックボーンおよびＡＴＭ  バックボーンネットワークＲＦにそれぞれ接続されたアクセス機器ＸＣをも含む。
【００４１】
ＳＧＳＮノードは具体的には、無線アクセスネットワークＲＡＲとコアネットワークＣＮの間でデータパケットをインターフェースさせ、上下に転送することの責任を担うことが想起されよう。それは生来、ＩＰタイプのものである。さらに、ＧＧＳＮノードは、そのＵＭＴＳネットワークと外部ネットワークＲＩの間の論理インターフェースを提供することが想起されよう。したがってそれは、１つまたは複数の外部ネットワークとのＵＭＴＳネットワークの接続性を提供する。
【００４２】
コアネットワークＣＮは一般に、そのバックボーンネットワークＲＦを介して無線アクセスネットワークＲＡＲに結合される。
【００４３】
図示する非限定的な実施例では。コアネットワークＣＮは、変換装置Ｄ、およびバックボーンネットワークＲＦへのアクセスを提供する参照符号ＸＣのアクセス機器を介してバックボーンネットワークＲＦに結合された、参照符号ＮＳの唯一のＳＧＳＮノードを含む。
【００４４】
アクセス機器ＸＣは、クロス接続タイプの光ＡＴＭスイッチであると以下で仮定する。従来のやり方では、また図示するようにこうした光スイッチＸＣは、以下でより詳細に述べられており、またモジュールＭＰＬＡと称されるＡＴＭリンク保護モジュールを含む。
【００４５】
ＡＴＭ／イーサネット（登録商標）変換を可能にするために、本発明は、単独の図に示すタイプの変換装置Ｄを提案する。こうした装置Ｄは、イーサネット（登録商標）機器、この場合にはＳＧＳＮノードＮＳとバックボーンネットワークＲＦの間に置かれるので、ＡＴＭ／イーサネット（登録商標）インターフェースの形で実装され得る。
【００４６】
変換装置Ｄは、それぞれ管理モジュールＭＧ１またはＭＧ２に結合されたイーサネット（登録商標）リンク保護モジュールＭＰＬＥ１またはＭＰＬＥ２を備える２つのゲートウェイＰ１およびＰ２を備える。
【００４７】
第１ゲートウェイＰ１は第１に、第１のイーサネット（登録商標）リンクＬＥ１を介してイーサネット（登録商標）機器に、この場合にはＳＧＳＮノードＮＳに接続され、第２に、第１ＡＴＭリンクＬＡ１を介してスイッチＸＣに接続される。この第１ゲートウェイＰ１は、第１ＡＴＭリンクＬＡ１のうちの１つを介してスイッチＸＣから来るＡＴＭによるＩＰデータを、第１イーサネット（登録商標）リンクＬＥ１を介したＳＧＳＮノードＮＳ宛てのイーサネット（登録商標）によるＩＰデータに変換し、またその逆に第１イーサネット（登録商標）リンクＬＥ１を介してＳＧＳＮノードＮＳから来るイーサネット（登録商標）によるＩＰデータを、第１ＡＴＭリンクＬＡ１のうちの１つを介したスイッチＸＣ宛てのＡＴＭによるＩＰデータに変換する働きをする従来型のＡＴＭ／イーサネット（登録商標）変換モジュールを備える。
【００４８】
第２ゲートウェイＰ２は、第１ゲートウェイＰ１と同一である。それは第１に、第２のイーサネット（登録商標）リンクＬＥ２を介してＳＧＳＮノードＮＳに接続され、第２に、第２のＡＴＭリンクＬＡ２を介してスイッチＸＣに接続される。この第２のゲートウェイＰ２もまた、第２ＡＴＭリンクＬＡ２のうちの１つを介してスイッチＸＣから来るＡＴＭによるＩＰデータを、第２イーサネット（登録商標）リンクＬＥ２を介したＳＧＳＮノードＮＳ宛てのイーサネット（登録商標）によるＩＰデータに変換し、またその逆に第２イーサネット（登録商標）リンクＬＥ２を介してＳＧＳＮノードＮＳから来るイーサネット（登録商標）によるＩＰデータを、第２ＡＴＭリンクＬＡ２のうちの１つを介したスイッチＸＣ宛てのＡＴＭによるＩＰデータに変換する働きをする従来型のＡＴＭ／イーサネット（登録商標）変換モジュールを含む。
【００４９】
第１および第２ゲートウェイＰ１およびＰ２はそれぞれ、アクティブ状態に置かれ、したがって受信されたＩＰデータをそれが転送することを可能にし、または非アクティブ（または待機）状態に置かれ、受信されたＩＰデータをそれが転送することを防止し得る。ゲートウェイのうちの１つがアクティブ状態であるときに、他のゲートウェイは非アクティブ状態である。アクティブゲートウェイは「マスタ」ゲートウェイと言われ、非アクティブゲートウェイは「待機」ゲートウェイと言われる。
【００５０】
それぞれの第１ＡＴＭリンクＬＡ１は、必要であれば取って代わるために提供される第２のＡＴＭリンクＬＡ２に対応していることを観察されたい。もちろん、それぞれの第１ＡＴＭリンクＬＡ１も同様に、必要であれば、対応する第２ＡＴＭリンクＬＡ２に取って代わり得る。
【００５１】
対応する第２ＡＴＭリンクＬＡ２による第１ＡＴＭリンクＬＡ１の、またはその逆の置換えは、スイッチＸＣのモジュールＭＰＬＡによって制御される。例を挙げると、モジュールＭＰＬＡは、自動保護スイッチング（ＡＰＳ）として知られているＡＴＭリンク保護機構を実装する働きをする。上述したようにこの機構は、第１（または第２）ＡＴＭリンクＬＡ１（またはＬＡ２）うちの１つで発生するどんな問題または故障または誤動作をも検出するため、また故障が生じた第１（または第２）ＡＴＭリンクＬＡ１（またはＬＡ２）からそれに対応する代用の第２（または第１）ＡＴＭリンクＬＡ２（またはＬＡ１）にトラフィックを切り換えるため、スイッチＸＣとマスタゲートウェイＰ１（またはＰ２）の間で設定された第１（または第２）ＡＴＭリンクＬＡ１（またはＬＡ２）上のトラフィックを観察することからなる。
【００５２】
以下でモジュールＭＰＬＥ１およびＭＰＬＥ２と称される、装置Ｄ内に含まれるイーサネット（登録商標）リンク保護モジュールは、たとえば、仮想ルータ冗長プロトコル（ＶＲＲＰ）として知られているイーサネット（登録商標）リンク保護機構を、ＳＧＳＮノードＮＳ内に含まれており、また以下でモジュールＭＰＬＥ３と称される別の（実質上同一の）イーサネット（登録商標）リンク保護モジュールと共に実装するように構成される。上述したようにこの機構は、前記リンク上で問題または故障または誤動作が検出される場合にマスタゲートウェイＰ１（またはＰ２）がその非アクティブ状態に切り換わるよう指示され、また待機ゲートウェイＰ２（またはＰ１）がそのアクティブ状態に切り換わるよう指示されるように、ＳＧＳＮノードＮＳとマスタゲートウェイＰ１（またはＰ２）の間で設定された第１（または第２）イーサネット（登録商標）リンクＬＥ１（またはＬＥ２）上のトラフィックを観察することからなる。
【００５３】
第１および第２ゲートウェイＰ１およびＰ２がその動作状態を同時に変更する場合、ＳＧＳＮノードを離れるトラフィックは、アクティブ（すなわちマスタ）ゲートウェイになったゲートウェイに動的にリンクされるルータＶＲＲＰに送信される。換言すると、ＳＧＳＮノードＮＳは、故障が生じた第１（または第２）イーサネット（登録商標）リンクＬＥ１（またはＬＥ２）から代用の第２（または第１）イーサネット（登録商標）リンクＬＥ２（またはＬＥ１）にトラフィックを切り換える。いわゆるＳＧＳＮノードＮＳ内のＡＲＰテーブルは、たとえば「無償ＡＲＰ」タイプのメッセージを用いて新しいアクティブゲートウェイによって更新される。
【００５４】
それぞれの管理モジュールＭＧ１およびＭＧ２は、ゲートウェイがアクティブであるならば、それが含まれているゲートウェイＰ１またはＰ２を介したＳＧＳＮノードＮＳとスイッチＸＣの間のＩＰデータ転送に問題が生じたときはいつでも働く。
【００５５】
より厳密には、こうした転送問題が生じるときに管理モジュール、たとえばＭＧ１（または（ＭＧ２）は、ローカルに（すなわち該管理モジュールのアクティブゲートウェイＰ１（またはＰ２）内で）それぞれのＡＴＭリンクＬＡ１（またはＬＡ２）について状態の変更を強制し、それによって、スイッチＸＣ内に含まれるモジュールＭＰＬＡのＡＴＭリンク保護機構をトリガする。次いで、スイッチＸＣのモジュールＭＰＬＡは、スイッチに、最初にアクティブであるゲートウェイＰ１（またはＰ２）に接続されているすべての第１（または第２）ＡＴＭリンクＬＡ１（またはＬＡ２）の使用を停止させる。したがって、スイッチＸＣは、最初に非アクティブであるゲートウェイＰ２（またはＰ１）に接続されている対応するＡＴＭリンクＬＡ２（またはＬＡ１）を使用することを強制される。同時に、モジュールＭＰＬＥ１からＭＰＬＥ３が、最初にアクティブである第１（または第２）ゲートウェイＰ１（またはＰ２）をその非アクティブ状態に、また非アクティブな第２（または第１）ゲートウェイＰ２（またはＰ１）をそのアクティブ状態にまだ置いていない場合には、ゲートウェイＰ１（またはＰ２）の管理モジュールＭＧ１（またはＭＧ２）は、モジュールＭＰＬＥ１からＭＰＬＥ３にこの切換えを進めるよう指示する。
【００５６】
上述の変換装置Ｄの全体的な動作について、３つの異なるタイプの転送問題を参照して以下でより詳細に述べる。
【００５７】
第１のタイプの問題は、マスタゲートウェイＰ１またはＰ２をスイッチＸＣに接続するＡＴＭリンクＬＡ１またはＬＡ２のうちの少なくとも１つで発生するソフトウェアまたはハードウェア問題（故障または誤動作）を網羅する。
【００５８】
このタイプの問題が生じるときに、問題を検出し、それ自体のスイッチＸＣに、故障が生じた各ＡＴＭリンクの使用を停止し、非アクティブゲートウェイに接続された対応するそれぞれの代用ＡＴＭリンクを使用するよう指示するのはスイッチＸＣのモジュールＭＰＬＡである。これは、その機能の一部である。
【００５９】
ＡＴＭリンク使用のこの変更を検出するために、アクティブなゲートウェイＰ１（またはＰ２）に含まれる管理モジュールＭＧ１（またはＭＧ２）は、少なくとも２つのやり方で動作し得る。
【００６０】
第１のやり方は、管理モジュールＭＧ１（またはＭＧ２）がスイッチＸＣの動作を観察し、より厳密にはスイッチＸＣ内のＡＴＭリンクの使用の各変更（または切換え）を観察できるようにすることにある。
【００６１】
こうした状況では、管理モジュールＭＧ１（またはＭＧ２）は、各ＡＴＭリンク（ＬＡ１（またはＬＡ２）の状態のローカルな変更を強制し、それによってＡＴＭリンク保護リンク機構をトリガさせる。次いで、スイッチＸＣのモジュールＭＰＬＡは、スイッチに、アクティブゲートウェイＰ１（またはＰ２）に接続された第１（または第２）ＡＴＭリンクＬＡ１（またはＬＡ２）のすべての使用を停止させる。したがって、スイッチＸＣは、最初に非アクティブであるゲートウェイＰ２（またはＰ１）に接続された対応するＡＴＭリンクＬＡ２（またはＬＡ１）の使用を強制される。しかし、管理モジュールＭＧ１（またはＭＧ２）はまた、モジュールＭＰＬＥ１からＭＰＬＥ３に、最初にアクティブおよび非アクティブであるゲートウェイがそれぞれ非アクティブおよびアクティブになるようにその活動状態の切換えを進めるよう指示しなければならない。
【００６２】
たとえば、管理モジュールＭＧ１が（そのモジュールＭＰＬＡの要求により）スイッチＸＣが、第１（マスタ）ゲートウェイＰ１で設定された第１のＡＴＭリンクから、第２（待機）ゲートウェイＰ２で設定された対応する第２ＡＴＭリンクに切り換わったことを検出する場合、前記管理モジュールＭＧ１は、そのゲートウェイＰ１内の各第１ＡＴＭリンクＬＡ１の状態の変更をローカルに強制し、それによってスイッチＸＣのモジュールＭＰＬＡによるＡＴＭリンク保護機構をトリガする。次いで、スイッチは、第１ＡＴＭリンクＬＡ１のすべての使用を停止し、その代わりに対応する第２ＡＴＭリンクＬＡ２のすべての使用を強制される。さらに、管理モジュールＭＧ１は、モジュールＭＰＬＥ１からＭＰＬＥ３に、第１ゲートウェイＰ１をその非アクティブ状態に、第２ゲートウェイＰ２をそのアクティブ状態に置くよう指示する。これらの変更が達成されるとトラフィックは、（最初は第１ゲートウェイＰ１を介して行われていたが、）スイッチＸＣとＳＧＳＮノードＮＳの間で通常のやり方で、しかし第２ゲートウェイＰ２を介して再開し得る。
【００６３】
第２のやり方は、それぞれの管理モジュールＭＧ１、ＭＧ２が該管理モジュールのゲートウェイＰ１またはＰ２の動作を観察し、より厳密には、スイッチＸＣのモジュールＭＰＬＡによって決定されるように１つまたは複数のＡＴＭリンクが（アクティブなときの）そのゲートウェイＰ１またはＰ２で使用されることを停止するそれぞれの機会を観察できるようにすることにある。
【００６４】
こうした状況では前述の状況と同様に、アクティブゲートウェイＰ１（またはＰ２）の管理モジュールＭＧ１（またはＭＧ２）は、ＡＴＭリンクＬＡ１（またはＬＡ２）のすべてについてローカルな状態変更を強制し、それによってスイッチＸＣのモジュールＭＰＬＡによるＡＴＭリンク保護機構をトリガし、したがってＡＴＭリンクＬＡ１（または第２ＡＴＭリンクＬＡ２）のすべての使用を停止させ、その代わりに対応する第２ＡＴＭリンクＬＡ２（または第１ＡＴＭリンクＬＡ１）のすべてを使用させる。また管理モジュールＭＧ１（またはＭＧ２）は、モジュールＭＰＬＥ１からＭＰＬＥ３に、第１ゲートウェイＰ１（またはＰ２）をその非アクティブ状態に、または第２ゲートウェイＰ２（またはＰ１）をそのアクティブ状態に置くよう指示しなければならない。これらの変更が達成されるとトラフィックは、（最初は第１ゲートウェイＰ１（またはＰ２）経由で通過していたが、）スイッチＸＣとＳＧＳＮノードＮＳの間で通常のやり方で、しかし第２ゲートウェイＰ２（またはＰ１）を介して再開し得る。
【００６５】
それぞれの管理モジュールＭＧ１またはＭＧ２は、問題が生じるＡＴＭリンクの数が選択された閾値以上であるという条件でだけであるが、モジュールＭＰＬＥ１からＭＰＬＥ３、および（スイッチＸＣの）モジュールＭＰＬＡと共に措置を講じるようなやり方で構成されると考えられることを観察されたい。ある変形例では、ある動作条件において最大数のＡＴＭリンクを処理するゲートウェイが、アクティブ状態のままであるゲートウェイとして選択されると考えられる。
【００６６】
この閾値は、ゼロ以外の任意の値を取り得る。たとえば、ゲートウェイとアクセス機器の間で確立されるＡＴＭリンクの数の関数として選択され得る。この閾値が１に等しい場合、それは、管理モジュールＭＧ１およびＭＧ２が常に動作を起こす状況を減少させる。
【００６７】
第２のタイプの問題は、マスタゲートウェイＰ１またはＰ２をＳＧＳＮノードＮＳに接続する第１または第２イーサネット（登録商標）リンクＬＥ１またはＬＥ２で発生するソフトウェアまたはハードウェアの故障または誤動作に関する。
【００６８】
このタイプの問題が生じるときに、問題を検出し、最初にアクティブおよび非アクティブであるゲートウェイにそれぞれ非アクティブおよびアクティブになるようにその活動状態を切り換えるよう指示するのは、モジュールＭＰＬＥ１からＭＰＬＥ３である。これは、その機能の一部である。
【００６９】
イーサネット（登録商標）リンク使用のこの変更を検出するために各管理モジュールＭＧ１、ＭＧ２は、少なくとも３つのやり方で動作し得る。
【００７０】
第１のやり方は、それぞれの管理モジュールＭＧ１、ＭＧ２が装置ＤのモジュールＭＰＬＥ１、ＭＰＬＥ２の動作を観察し、より厳密には、それがゲートウェイＰ１、Ｐ２に送信する活動状態変更の各指示を観察できるようにすることにある。
【００７１】
最初にアクティブであるゲートウェイＰ１またはＰ２の管理モジュールＭＧ１またはＭＧ２は、状態変更の指示が送信されたことを検出するときに、ＡＴＭリンクＬＡ１またはＬＡ２のすべての状態変更をローカルに強制し、それによって、ＡＴＭリンク保護機構がスイッチＸＣのモジュールＭＰＬＡによってトリガされるようにし、したがってＡＴＭリンクＬＡ１またはＬＡ２のすべての使用を停止させ、その代わりに対応するＡＴＭリンクＬＡ２またはＬＡ１が使用されるようにする。
【００７２】
ＡＴＭリンク使用のこの切換えが達成されるとトラフィックは、以前は他のゲートウェイを経由して通過していたが、スイッチＸＣとＳＧＳＮノードＮＳの間で通常のやり方で、新しくアクティブ（マスタ）になったゲートウェイを介して再開し得る。
【００７３】
第２のやり方は、それぞれの管理モジュールＭＧ１、ＭＧ２が該管理モジュールのゲートウェイＰ１またはＰ２の動作を観察し、より厳密にはその活動状態を観察できるようにすることにある。
【００７４】
このような状況では、（最初にアクティブである）ゲートウェイＰ１またはＰ２の管理モジュールＭＧ１またはＭＧ２は、該管理モジュールのゲートウェイＰ１またはＰ２の状態の変化を検出するときに、ＡＴＭリンクＬＡ１またはＬＡ２のすべての状態変更をローカルに強制し、それによってＡＴＭリンク保護機構がスイッチＸＣのモジュールＭＰＬＡによってトリガされるようにし、したがってＡＴＭリンクＬＡ１またはＬＡ２のすべての使用を停止させ、その代わりに対応するＡＴＭリンクＬＡ２またはＬＡ１のすべてが使用されるようにする。
【００７５】
第３のやり方は、それぞれの管理モジュールＭＧ１、ＭＧ２がＳＧＳＮノードＮＳの操作を観察し、より厳密にはどのイーサネット（登録商標）リンクＬＥ１またはＬＥ２をそれが使用しているか観察できるようにすることにある。
【００７６】
こうした状況では、（最初にアクティブである）ゲートウェイＰ１またはＰ２の管理モジュールＭＧ１またはＭＧ２は、モジュールＭＰＬＥ１からＭＰＬＥ３によって決定されるＳＧＳＮノードＮＳによるイーサネット（登録商標）リンク使用の変更を検出するときに、ＡＴＭリンクＬＡ１またはＬＡ２のすべての該管理モジュールのゲートウェイＰ１またはＰ２の状態変更をローカルに強制し、それによってＡＴＭリンク保護機構がスイッチＸＣのモジュールＭＰＬＡによってトリガされるようにし、それによってＡＴＭリンクＬＡ１またはＬＡ２のすべての使用を停止させ、その代わりに対応するＡＴＭリンクＬＡ２またはＬＡ１のすべてが使用されるようにする。
【００７７】
第３のタイプの問題は、ゲートウェイＰ１またはＰ２で生じるソフトウェアまたはハードウェアの故障または誤動作に関連する。
【００７８】
例を挙げると、それぞれの管理モジュールＭＧ１、ＭＧ２は、そのトランスポートプロトコルが変換された後に転送される必要がある受信されたＩＰデータの処理を妨げ得る内部動作のいずれの問題をも検出するために、ゲートウェイＰ１およびＰ２の動作を観察する。
【００７９】
（最初にアクティブである）ゲートウェイＰ１またはＰ２の管理モジュールＭＧ１またはＭＧ２は、内部動作の問題を検出するときに、ＡＴＭリンクＬＡ１またはＬＡ２のすべての状態変更をローカルに強制し、それによってＡＴＭリンク保護機構がスイッチＸＣのモジュールＭＰＬＡによってトリガされるようにし、したがってＡＴＭリンクＬＡ１またはＬＡ２のすべての使用を停止させ、その代わりに対応するＡＴＭリンクＬＡ２またはＬＡ１のすべてが使用されるようにする。またそれは、モジュールＭＰＬＥ１からＭＰＬＥ３がそれぞれアクティブおよび非アクティブになるように、最初にアクティブおよび非アクティブであるゲートウェイＰ１およびＰ２（またはＰ２およびＰ１）の活動状態を切り換えるように指示する。
【００８０】
ＡＴＭ動作状態およびイーサネット（登録商標）動作状態の間のいくらかの非互換性は、ゲートウェイＰ１およびＰ２を動作不可能にし得る。これは、たとえばゲートウェイＰ１で第１ＡＴＭリンクＬＡ１のすべてが動作可能であり、第１イーサネット（登録商標）リンクは動作不可能である場合、およびゲートウェイＰ２で第２ＡＴＭリンクＬＡ２のすべてが動作可能であるとは限らず、第２イーサネット（登録商標）リンクは動作可能である場合に当てはまる。
【００８１】
このタイプの状態を改善するために、本発明は、補助リンクＬＡＡ、好ましくはイーサネット（登録商標）タイプのものを用いてゲートウェイＰ１およびＰ２を相互接続することを提案する。
【００８２】
上述の非互換性を検出するために、それぞれの管理モジュールＭＧ１、ＭＧ２は、そのゲートウェイＰ１（またはＰ２）の動作を観察するように構成されなければならない。
【００８３】
したがって、最初にアクティブであるゲートウェイＰ１（またはＰ２）の管理モジュールＭＧ１（またはＭＧ２）は、そのイーサネット（登録商標）リンクＬＥ１（またはＬＥ２）上の問題を検出するときに、該管理モジュールのゲートウェイＰ１（またはＰ２）に、それがＡＴＭリンクＬＡ１（またはＬＡ２）を介してスイッチＸＣから受信するＡＴＭによるＩＰデータを、イーサネット（登録商標）によるＩＰデータに変換した後に補助リンクＬＡＡを介して非アクティブなゲートウェイＰ２（またはＰ１）に転送するよう指示する。イーサネット（登録商標）によるこのＩＰデータを受信するとゲートウェイＰ２（またはＰ１）は、イーサネット（登録商標）リンクＬＥ２（またはＬＥ１）を介してＳＧＳＮノードＮＳにデータを転送する必要があるにすぎない。ゲートウェイＰ２（またはＰ１）の管理モジュールＭＧ２（またはＭＧ１）は、該管理モジュールのＡＴＭリンクＬＡ２（またはＬＡ１）上の問題を検出するときに、該管理モジュールのゲートウェイＰ２（またはＰ１）に、（それがイーサネット（登録商標）リンクＬＥ２を介してＳＧＳＮノードＮＳから受信する）イーサネット（登録商標）によるＩＰデータを補助リンクＬＡＡを介してゲートウェイＰ１（またはＰ２）に転送するよう指示する。ゲートウェイＰ１（またはＰ２）は、イーサネット（登録商標）によるＩＰデータを受信すると、それをＡＴＭによるＩＰデータに変換し、該管理モジュールのＡＴＭリンクＬＡ１（またはＬＡ２）を介してスイッチＸＣにそれを転送する。
【００８４】
同様に、最初にアクティブであるゲートウェイＰ１（またはＰ２）の管理モジュールＭＧ１（またはＭＧ２）は、該管理モジュールのＡＴＭインクＬＡ１（またはＬＡ２）上の問題を検出するときに、該管理モジュールのゲートウェイＰ１（またはＰ２）に、それがイーサネット（登録商標）リンクＬＥ１（またはＬＥ２）を介してＳＧＳＮノードＮＳから受信するイーサネット（登録商標）によるＩＰデータを補助リンクＬＡＡを介して非アクティブなゲートウェイＰ２（またはＰ１）に転送するよう指示する。ゲートウェイＰ２（またはＰ１）は、イーサネット（登録商標）によるＩＰデータを受信すると、それをＡＴＭによるＩＰデータに変換し、次いで、このＡＴＭによるＩＰデータを該管理モジュールのＡＴＭリンクＬＡ２（またはＬＡ１）を介してスイッチＸＣに転送する。ゲートウェイＰ２（またはＰ１）の管理モジュールＭＧ２（またはＭＧ１）は、該管理モジュールのイーサネット（登録商標）リンクＬＥ２（またはＬＥ１）上の問題を検出するときに、そのゲートウェイＰ２（またはＰ１）に、それがＡＴＭリンクＬＡ２（またはＬＡ１）を介してスイッチＸＣから受信するＡＴＭによるＩＰデータを、イーサネット（登録商標）によるＩＰデータに変換した後に補助リンクＬＡＡを介してゲートウェイＰ１（またはＰ２）に転送するよう指示する。ゲートウェイＰ１（またはＰ２）は、イーサネット（登録商標）によるこのＩＰデータを受信するときに、該管理モジュールのイーサネット（登録商標）リンクＬＥ１（またはＬＥ２）を介してＳＧＳＮノードＮＳにそのデータを転送する必要があるにすぎない。
【００８５】
本発明の変換装置Ｄ、具体的にはその管理モジュールＭＧ１およびＭＧ２、ならびに／またはそのイーサネット（登録商標）リンク保護モジュールＭＰＬＥ１およびＭＰＬＥ２は、電子回路、ソフトウェア（またはコンピュータ）モジュールの形で、あるいは回路とソフトウェアの組合せとして実装され得る。
【００８６】
本発明は、単に例示するために上記で述べた変換装置の諸実施形態に限定されず、しかし、当業者が特許請求の範囲の範囲内で考え得るどんな変形例をも網羅する。
【図面の簡単な説明】
【００８７】
【図１】本発明の変換装置の一実施形態を備え、また外部インターネットネットワークに接続されたモバイルネットワークの非常に図式的な機能図である。
【符号の説明】
【００８８】
Ｃｉ  セル
ＣＮ  コアネットワーク
Ｄ  装置
ＬＡ１、ＬＡ２  ＡＴＭリンク
ＬＡＡ  補助リンク
ＬＥ１、ＬＥ２  イーサネット（登録商標）リンク
ＭＧ１、ＭＧ２  管理手段
ＭＰＬＡ、ＭＰＬＥ１、ＭＰＬＥ２、ＭＰＬＥ３  イーサネット（登録商標）リンク保護手段
ＭＳｊ  局
ＮＳ  第１機器
Ｐ１、Ｐ２  ゲートウェイ
ＲＡＲ  無線アクセスネットワーク
ＲＦ  バックボーンネットワーク
ＲＩ  外部通信ネットワーク
ＸＣ  アクセス機器
【図１】
2006229958.tif 000003
【外国語明細書】
2006229958.tif 000004
2006229958.tif 000005
2006229958.tif 000006
2006229958.tif 000007
2006229958.tif 000008
2006229958.tif 000009
2006229958.tif 000010
2006229958.tif 000011
2006229958.tif 000012
2006229958.tif 000013
2006229958.tif 000014
2006229958.tif 000015
2006229958.tif 000016
2006229958.tif 000017
2006229958.tif 000018
2006229958.tif 000019
2006229958.tif 000020
2006229958.tif 000021
2006229958.tif 000022
2006229958.tif 000023
2006229958.tif 000024
2006229958.tif 000025
2006229958.tif 000026
2006229958.tif 000027